(57)【要約】【課題】良好な通信品質を維持することが可能なシールドコネクタ、及び、端子付きシールドケーブルを提供すること。【解決手段】シールドコネクタ１は、導体芯線７１と導体芯線７１を取り囲むシールド体７５とを有するシールドケーブル７０の端末に取り付けられる。シールドコネクタ１は、導体芯線７１に接続される導電性のインナ端子１０と、シールド体７５に接続される導電性の筒状のアウタ端子４０，５０と、アウタ端子４０，５０の中空部内にインナ端子１０を保持するインナハウジング２０であって、インナ端子１０の外面とアウタ端子３０の内面との間の距離を、シールドコネクタ１の先端側から基端側にわたって所定の端子間距離に保つように構成された突起部２２，２３，２４を、インナハウジング２０の外面に有するインナハウジング２０と、を備える。【選択図】図４
2019220324.tif 000002
【特許請求の範囲】
【請求項１】
導体芯線と前記導体芯線を取り囲むシールド体とを有するシールドケーブルの端末に取り付けられるシールドコネクタであって、
前記導体芯線に接続される導電性のインナ端子と、
前記シールド体に接続される導電性の筒状のアウタ端子と、
前記アウタ端子の中空部内に前記インナ端子を保持するインナハウジングであって、前記インナ端子の外面と前記アウタ端子の内面との間の距離を該シールドコネクタの先端側から基端側にわたって所定の端子間距離に保つように構成された突起部を、該インナハウジングの外面に有するインナハウジングと、を備える、
シールドコネクタ。
【請求項２】
請求項１に記載のシールドコネクタにおいて、
前記突起部は、
該シールドコネクタの嵌合方向に延びる突条形状のリブである、
シールドコネクタ。
【請求項３】
請求項１又は請求項２に記載のシールドコネクタにおいて、
前記突起部は、
前記インナ端子及び前記アウタ端子によって構成される筒状構造体の特性インピーダンスが所定の目標値となる前記端子間距離を保つように構成されている、
シールドコネクタ。
【請求項４】
請求項１〜請求項３の何れか一項に記載のシールドコネクタにおいて、
前記インナ端子、前記アウタ端子及び前記インナハウジングによって構成される端子体を収容可能な端子収容室を有するアウタハウジングを、更に備える、
シールドコネクタ。
【請求項５】
導体芯線と前記導体芯線を取り囲むシールド体とを有するシールドケーブルと、
前記シールドケーブルの端末に取り付けられた請求項１〜請求項４の何れか一項に記載のシールドコネクタと、を備えた、
端子付きシールドケーブル。
【発明の詳細な説明】
【技術分野】
【０００１】
本発明は、シールドコネクタ、及び、シールドケーブルの端末にシールドコネクタが取り付けられた端子付きシールドケーブルに関する。
【背景技術】
【０００２】
従来から、相手側端子に接続されるとともにシールドケーブルの導体芯線に導通接続されるインナ端子と、インナ端子を収容保持するハウジングと、ハウジングを内部に収容するとともにシールドケーブルのシールド体に導通接続されるアウタ端子と、を備えたシールドコネクタが知られている（例えば、特許文献１を参照）。
【先行技術文献】
【特許文献】
【０００３】
【特許文献１】特開２００３−０８６３０８号公報
【発明の概要】
【発明が解決しようとする課題】
【０００４】
シールドコネクタは、一般に、シールドケーブルとの接続箇所におけるインピーダンス不整合に起因した反射損失を低減する観点などから、シールドコネクタの特性インピーダンス（具体的には、インナ端子及びアウタ端子によって構成される筒状構造体の特性インピーダンス）がシールドケーブルに対応した所定の目標値になるように設計される。ところが、シールドコネクタの搬送時や使用時などにシールドコネクタのインナ端子とアウタ端子との位置関係（例えば、端子間距離）が変化すると、上述した筒状構造体の形態が変化することで、シールドコネクタの特性インピーダンスも変化することになる。
【０００５】
シールドコネクタが取り付けられたシールドケーブルを介した通信品質を向上させる観点などにおいて、シールドコネクタ（具体的には、筒状構造体）の特性インピーダンスは、出来る限り設計通りの目標値に維持されることが望ましい。
【０００６】
本発明は、上述した事情に鑑みてなされたものであり、その目的は、良好な通信品質を維持することが可能なシールドコネクタ、及び、端子付きシールドケーブルを提供することにある。
【課題を解決するための手段】
【０００７】
前述した目的を達成するために、本発明に係るシールドコネクタは、下記（１）〜（４）を特徴としている。
（１）
導体芯線と前記導体芯線を取り囲むシールド体とを有するシールドケーブルの端末に取り付けられるシールドコネクタであって、
前記導体芯線に接続される導電性のインナ端子と、
前記シールド体に接続される導電性の筒状のアウタ端子と、
前記アウタ端子の中空部内に前記インナ端子を保持するインナハウジングであって、前記インナ端子の外面と前記アウタ端子の内面との間の距離を該シールドコネクタの先端側から基端側にわたって所定の端子間距離に保つように構成された突起部を、該インナハウジングの外面に有するインナハウジングと、を備える、
シールドコネクタであること。
（２）
上記（１）に記載のシールドコネクタにおいて、
前記突起部は、
該シールドコネクタの嵌合方向に延びる突条形状のリブである、
シールドコネクタであること。
（３）
上記（１）又は上記（２）に記載のシールドコネクタにおいて、
前記突起部は、
前記インナ端子及び前記アウタ端子によって構成される筒状構造体の特性インピーダンスが所定の目標値となる前記端子間距離を保つように構成されている、
シールドコネクタであること。
（４）
上記（１）〜上記（３）の何れか一つに記載のシールドコネクタにおいて、
前記インナ端子、前記アウタ端子及び前記インナハウジングによって構成された端子体を収容可能な端子収容室を有するアウタハウジングを、更に備える、
シールドコネクタであること。
【０００８】
上記（１）の構成のシールドコネクタによれば、アウタ端子の中空部内にインナ端子を保持するインナハウジングに設けられた突起部により、インナ端子とアウタ端子との端子間距離を、シールドコネクタの先端側から基端側に亘って所定の設計値に保つことができる。この結果、例えば、インナ端子がアウタ端子に対して傾くことを抑制できて、インナ端子及びアウタ端子によって構成される筒状構造体の特性インピーダンスの変動を抑制できることになる。なお、突起部の形状は、上述した端子間距離を保つことが可能であれば特に制限されず、例えば、突条（所定方向に延びるリブ）であってもよいし、点状の突起であってもよいし、それらの組み合わせであってもよい。
【０００９】
また、上記構成のシールドコネクタによれば、インナハウジングに突起部がない場合（例えば、インナハウジングの外壁面がアウタ端子に当接することで端子間距離を保持させる場合）に比べ、アウタ端子の中空部内に存在するインナハウジングの体積が小さくなることから、インナハウジングの熱膨張や熱収縮などの影響に起因して端子間距離が変化することも低減し得る。
【００１０】
上記（２）の構成のシールドコネクタによれば、嵌合方向に延びる突状形状のリブにより、インナ端子の傾き等を適正に抑制できる。なお、点状の突起を用いる場合に比べ、インナハウジングとアウタ端子との接触面積が大きくなるため、アウタ端子の中空部内におけるインナハウジングの嵌合方向での位置ズレも抑制し得る。
【００１１】
上記（３）の構成のシールドコネクタによれば、突起部の形状が、インナ端子及びアウタ端子によって構成される筒状構造体の特性インピーダンスが所定の目標値（例えば、シールドコネクタに対応した設計値）となるように設計されている。換言すると、突起部の形状等を調整することで、筒状構造体の特性インピーダンスを任意に制御可能となる。
【００１２】
上記（４）の構成のシールドコネクタによれば、アウタハウジングに相手側コネクタとの嵌合保証機能などを持たせることで、コネクタとしての機能を高めることができる。
【００１３】
前述した目的を達成するために、本発明に係る端子付きシールドケーブルは、下記（５）を特徴としている。
（５）
導体芯線と前記導体芯線を取り囲むシールド体とを有するシールドケーブルと、
前記シールドケーブルの端末に取り付けられた上記（１）〜上記（４）の何れか一つに記載のシールドコネクタと、を備えた、
端子付きシールドケーブルであること。
【００１４】
上記（５）の構成の端子付きシールドケーブルによれば、アウタ端子の中空部内にインナ端子を保持するインナハウジングに設けられた突起部により、インナ端子とアウタ端子との端子間距離を、シールドコネクタの先端側から基端側に亘って所定の設計値に保つことができる。この結果、例えば、インナ端子がアウタ端子に対して傾くことを抑制できて、インナ端子及びアウタ端子によって構成される筒状構造体の特性インピーダンスの変動を抑制できることになる。また、インナハウジングに突起部がない場合（例えば、インナハウジングの外壁面がアウタ端子に当接することで端子間距離を保持させる場合）に比べ、アウタ端子の中空部内に存在するインナハウジングの体積が小さくなることから、インナハウジングの熱膨張や熱収縮などの影響に起因して端子間距離が変化することも低減し得る。
【発明の効果】
【００１５】
本発明によれば、良好な通信品質を維持することが可能なシールドコネクタ、及び、端子付きシールドケーブルを提供できる。
【００１６】
以上、本発明について簡潔に説明した。更に、以下に説明される発明を実施するための形態（以下、「実施形態」という。）を添付の図面を参照して通読することにより、本発明の詳細は更に明確化されるであろう
【図面の簡単な説明】
【００１７】
【図１】図１は、本実施形態に係る、シールドケーブルの端末にシールドコネクタが取り付けられた端子付きシールドケーブルの斜視図である。
【図２】図２は、図１に示すシールドコネクタの分解斜視図である。
【図３】図３（ａ）は、図１に示すシールドコネクタの組み付け過程を示す第１の図であり、図３（ｂ）は、その組み付け過程を示す第２の図である。
【図４】図４は、図３（ｂ）のＡ−Ａ線断面図である。
【図５】図５（ａ）は、図４のＢ−Ｂ線断面図であり、図５（ｂ）は、図４のＣ−Ｃ線断面図である。
【発明を実施するための形態】
【００１８】
＜実施形態＞
以下、図面を参照しながら、本発明の実施形態に係る、シールドケーブル７０の端末にシールドコネクタ１が取り付けられた端子付きシールドケーブル２について説明する。以下、説明の便宜上、シールドコネクタ１の軸方向（嵌合方向）において、相手側端子（図示省略）が嵌合する側（図１〜図３において左側）を先端側（前方側）とし、その反対側（図１〜図３において右側）を基端側（後方側）と呼ぶ。
【００１９】
図１〜図２に示すように、シールドケーブル７０の端末に取り付けられるシールドコネクタ１は、インナ端子１０と、インナハウジング２０と、アウタ端子３０と、アウタハウジング６０と、を備える（特に、図２参照）。
【００２０】
図２、図３及び図５（ｂ）に示すように、シールドケーブル７０は、線状の導体芯線７１と導体芯線７１の外周を覆う円筒状の樹脂製の絶縁体７２とによりそれぞれが構成される複数本（本例では、２本）の電線７３（特に、図５（ｂ）参照）と、複数本の電線７３を一括して覆う円筒状の樹脂製の外被７４と、外被７４の内周面に設けられた円筒状のシールド体（編組材）７５と、で構成されている。シールドコネクタ１にシールドケーブル７０を接続する際には、所定の端末処理を施して、導体芯線７１の先端部を予め外部に露出させておくとともに、シールド体７５の先端部を外被７４の外周を覆うように基端側に折り返しておく（図２参照）。以下、シールドコネクタ１を構成する各部品について順に説明する。
【００２１】
先ず、インナ端子１０について説明する。インナ端子１０は、相手側端子（図示省略）に接続されるとともにシールドケーブル７０の導体芯線７１に導通接続される機能を有する。図２及び図５（ｂ）に示すように、金属製のインナ端子１０は、その先端部に位置するとともに相手側端子に接続される角筒状の接続部１１と、その基端部に位置するとともにシールドケーブル７０の導体芯線７１を圧着するための一対の加締め片で構成される圧着部１２と、を一体に有する。接続部１１の中空部（貫通孔）に相手側端子（雄端子）が挿入されることになる。
【００２２】
次いで、インナハウジング２０について説明する。インナハウジング２０は、インナ端子１０の接続部１１を収容保持するとともにアウタ端子３０に収容保持されて、インナ端子１０とアウタ端子３０とを絶縁状態に維持する機能を有する。図２及び図３に示すように、インナハウジング２０は、所定の誘電率を有する絶縁性の合成樹脂製であり、略角筒状の形状を有している。インナハウジング２０の内部には、インナ端子１０を収容保持する複数（本例では、２つ）の端子収容室２１が、軸方向に貫通するように形成されている（特に、図５（ｂ）参照）。
【００２３】
図２〜図５に示すように、インナハウジング２０の上面には、インナハウジング２０の先端部から基端部までに亘って軸方向（嵌合方向）に延びる一対のリブ２２が、幅方向に並んで形成されている。図４及び図５に示すように、インナハウジング２０の下面には、インナハウジング２０の軸方向先端側部分に亘って軸方向に延びる一対のリブ２３が、幅方向に並んで形成され、且つ、インナハウジング２０の軸方向基端側部分に亘って軸方向に延びる一対のリブ２４が、幅方向に並んで形成されている。
【００２４】
一対のリブ２３は、一対のリブ２２と同じ幅方向位置に設けられ、一対のリブ２４は、一対のリブ２３より幅方向外側位置に設けられている。一対のリブ２３及びリブ２４の下端位置（突出方向の先端位置）は一致している。リブ２２，２３，２４の機能については後述する。
【００２５】
図２及び図３に示すように、インナハウジング２０の一対の側面における先端部近傍の所定位置には、幅方向に突出する一対の突起２５が設けられている。インナハウジング２０の一対の側面における軸方向の略中央位置及び基端部近傍それぞれの所定位置には、幅方向に突出し軸方向に延びる一対の突条２６（合計で、二対（４つ）の突条２６）が設けられている。図５（ｂ）に示すように、インナハウジング２０の底面における、軸方向において二対の突条２６の間の所定位置には、下方に突出する突出部２７が設けられている。突起２５、突条２６、及び、突出部２７の機能については後述する。
【００２６】
次いで、アウタ端子３０について説明する。アウタ端子３０は、インナハウジング２０を収容保持するとともに、シールドケーブル７０のシールド体７５に導通接続される機能を有する。図２及び図３に示すように、アウタ端子３０は、金属製の下側部４０と、金属製の上側部５０とを備え、下側部４０と上側部５０とを組み付けることで、角筒状の形状を有する。
【００２７】
下側部４０は、軸方向に延びる平板状の底板部４１と、底板部４１の軸方向先端側部分に亘って底板部４１の幅方向両端部から上方に立ち上がる一対の第１側壁部４２と、底板部４１の軸方向基端側部分に亘って底板部４１の幅方向両端部から上方に立ち上がる一対の第２側壁部４３とを備える。一対の第２側壁部４３は、一対の第１側壁部４２より幅方向外側に位置している。
【００２８】
一対の第１側壁部４２には、軸方向に延びる一対の矩形状の貫通孔４４が形成されている。一対の第２側壁部４３の軸方向両端部それぞれの幅方向内側面には、幅方向内側に突出する一対の突起４５（合計で、二対（４つ）の突起４５）が設けられている。底板部４１における、軸方向において二対の突起４５の間の所定位置には、先端側から基端側に向けて斜め下方に片持ち梁状に延びる矩形の切り起こし部を設けることで、矩形の開口４６が形成されている。シールドコネクタ１の組み付け時、下側部４０の貫通孔４４及び突起４５が、インナハウジング２０の突起２５及び突条２６とそれぞれ係合し（図３（ａ）参照）、下側部４０の開口４６に、インナハウジング２０の突出部２７が挿入されることになる（図５（ｂ）参照）。底板部４１及び一対の第２側壁部４３の基端側端面には、繋ぎ部４７を介して、上方に延びる一対の加締め片４８が連設されている。
【００２９】
上側部５０は、軸方向に延びる平板状の天板部５１と、天板部５１の軸方向先端側部分に亘って天板部５１の幅方向両端部から下方に延びる一対の第１側壁部５２と、天板部５１の軸方向基端側部分に亘って天板部５１の幅方向両端部から下方に延びる一対の第２側壁部５３とを備える。一対の第２側壁部５３は、一対の第１側壁部５２より幅方向外側に位置している。シールドコネクタ１の組み付け時、上側部５０の一対の第１側壁部５２及び一対の第２側壁部５３がそれぞれ、下側部４０の一対の第１側壁部４２及び一対の第２側壁部４３に対して、幅方向外側にて対面接触することになる（図４参照）。
【００３０】
一対の第１側壁部５２の軸方向基端側の所定位置には、下側から上側に向けて斜め幅方向内側に片持ち梁状に延びる矩形の一対の切り起こし部５４が形成されている。シールドコネクタ１の組み付け時、上側部５０の切り起こし部５４が、下側部４０の貫通孔４４と係合することになる（図４参照）。天板部５１の基端側端面には、繋ぎ部５５を介して、基端側に突出する舌状片５６が連設されている。
【００３１】
次いで、インナ端子１０、インナハウジング２０、及び、アウタ端子３０（＝下側部４０＋上側部５０）の組み付け手順について、図３を参照しながら説明する。先ず、図２に示すように、端末処理が施されたシールドケーブル７０の複数の導体芯線７１の先端部をそれぞれ対応するインナ端子１０の圧着部１２の一対の加締め片で圧着する。
【００３２】
次いで、図３（ａ）に示すように、シールドケーブル７０が接続された複数のインナ端子１０をそれぞれインナハウジング２０の対応する端子収容室２１に基端側から挿入して収容する。
【００３３】
次いで、図３（ａ）に示すように、下側部４０の一対の第１側壁部４２及び一対の第２側壁部４３でインナハウジング２０を挟むように、インナハウジング２０を下側部４０に組み付ける。
【００３４】
これにより、インナハウジング２０の一対の突起２５が下側部４０の一対の貫通孔４４の上縁に係止され、インナハウジング２０の４つの突条２６が下側部４０の４つの突起４５にそれぞれ係止される。加えて、インナハウジング２０の突出部２７が、下側部４０の開口４６に挿入される。この結果、図４及び図５（ｂ）に示すように、インナハウジング２０の底面に位置する一対のリブ２３及び一対のリブ２４が、それぞれの軸方向の全域に亘って、下側部４０の底板部４１に当接した状態に維持されるとともに、インナハウジング２０が、先端側から基端側に亘って下側部４０に対して相対移動不能に保持される。
【００３５】
次いで、図３（ｂ）に示すように、上側部５０の一対の第１側壁部５２及び一対の第２側壁部５３で、下側部４０の一対の第１側壁部４２及び一対の第２側壁部４３をそれぞれ挟むように、上側部５０を下側部４０に組み付ける。これにより、図４に示すように、上側部５０の一対の切り起こし部５４の先端部（上端部）が、下側部４０の一対の貫通孔４４の上縁に係止される（図４参照）。この状態では、下側部４０の一対の加締め片４８がシールドケーブル７０のシールド体７５の折り返し部の下側に位置し、上側部５０の舌状片５６が当該シールド体７５の折り返し部の上側に位置している。
【００３６】
次いで、図３（ｂ）に示すように、下側部４０の一対の加締め片４８で、シールドケーブル７０のシールド体７５の折り返し部及び上側部５０の舌状片５６を一括して覆うように圧着固定する。この結果、図４及び図５（ａ）に示すように、インナハウジング２０の上面に位置する一対のリブ２２が、それぞれの軸方向の全域に亘って、上側部５０の天板部５１に当接した状態に維持されるとともに、下側部４０及び上側部５０が互いに相対移動不能に保持される。
【００３７】
以上により、インナ端子１０、インナハウジング２０、及び、アウタ端子３０（＝下側部４０＋上側部５０）の組み付けが完了する（図３（ｂ）参照）。この状態では、上述したように、インナハウジング２０の底面に位置する一対のリブ２３及び一対のリブ２４が、それぞれの軸方向の全域に亘って、下側部４０の底板部４１に当接した状態に維持され、且つ、インナハウジング２０の上面に位置する一対のリブ２２が、それぞれの軸方向の全域に亘って、上側部５０の天板部５１に当接した状態に維持されることにより、インナ端子１０の外面とアウタ端子３０（＝下側部４０＋上側部５０）の内面との間の距離が、これらの先端側から基端側にわたって所定の端子間距離に維持される。
【００３８】
このように、インナ端子１０及びインナハウジング２０が内部に保持されたアウタ端子３０（図３（ｂ）参照）は、図１に示すように、アウタハウジング６０の端子収容室６１に収容され固定される。以上より、シールドコネクタ１の組み付けが完了する。この結果、シールドケーブル７０の端末にシールドコネクタ１が取り付けられた端子付きシールドケーブル２が得られる（図１参照）。
【００３９】
以上、本発明の実施形態に係るシールドコネクタ１及び端子付きシールドケーブル２によれば、アウタ端子３０の中空部内にインナ端子１０を保持するインナハウジング２０に設けられたリブ２２，２３，２４により、インナ端子１０とアウタ端子３０との端子間距離を、シールドコネクタ１の先端側から基端側に亘って所定の設計値に保つことができる。この結果、インナ端子１０がアウタ端子３０に対して傾くことを抑制でき、インナ端子１０とアウタ端子３０とによって構成される筒状構造体の特性インピーダンスの変動を抑制できる。なお、インナハウジング２０に突起部がなく、インナハウジング２０の外壁面がアウタ端子３０に当接して端子間距離を保持する場合に比べ、シールドコネクタ１の使用時におけるインナハウジング２０の熱膨張や熱収縮などの影響に起因してインナ端子１０がアウタ端子３０に対して傾く程度が小さくなると考えられる。
【００４０】
更に、リブ２２，２３，２４が、嵌合方向に延びる突条形状であるので、嵌合方向におけるインナ端子１０の傾きを適正に抑制できる。
【００４１】
更に、リブ２２，２３，２４の形状が、インナ端子１０とアウタ端子３０によって構成される筒状構造体の特性インピーダンスが所定の目標値となるように設計されている。換言すると、筒状構造体の特性インピーダンスを任意に制御可能となる。
【００４２】
＜他の形態＞
なお、本発明は上記各実施形態に限定されることはなく、本発明の範囲内において種々の変形例を採用することができる。例えば、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００４３】
上記実施形態では、「突起部」として、嵌合方向に延びる突条形状のリブ２２，２３，２４が採用されているが、「突起部」として、例えば、点状に突出する多数の突起が採用されてもよい。
【００４４】
ここで、上述した本発明に係るシールドコネクタ１及び端子付きシールドケーブル２の実施形態の特徴をそれぞれ以下（１）〜（５）に簡潔に纏めて列記する。
（１）
導体芯線（７１）と前記導体芯線（７１）を取り囲むシールド体（７５）とを有するシールドケーブル（７０）の端末に取り付けられるシールドコネクタ（１）であって、
前記導体芯線（７１）に接続される導電性のインナ端子（１０）と、
前記シールド体（７５）に接続される導電性の筒状のアウタ端子（３０，４０，５０）と、
前記アウタ端子（３０，４０，５０）の中空部内に前記インナ端子（１０）を保持するインナハウジング（２０）であって、前記インナ端子（１０）の外面と前記アウタ端子（３０）の内面との間の距離を該シールドコネクタ（１）の先端側から基端側にわたって所定の端子間距離に保つように構成された突起部（２２，２３，２４）を、該インナハウジング（２０）の外面に有するインナハウジング（２０）と、を備える、
シールドコネクタ（１）。
（２）
上記（１）に記載のシールドコネクタ（１）において、
前記突起部は、
該シールドコネクタ（１）の嵌合方向に延びる突条形状のリブ（２２，２３，２４）である、
シールドコネクタ（１）。
（３）
上記（１）又は上記（２）に記載のシールドコネクタにおいて、
前記突起部（２２，２３，２４）は、
前記インナ端子（１０）及び前記アウタ端子（３０）によって構成される筒状構造体の特性インピーダンスが所定の目標値となる前記端子間距離を保つように構成されている、
シールドコネクタ（１）。
（４）
上記（１）〜上記（３）の何れか一つに記載のシールドコネクタ（１）において、
前記インナ端子（１０）、前記アウタ端子（３０）及び前記インナハウジング（２０）によって構成される端子体を収容可能な端子収容室（６１）を有するアウタハウジング（６０）を、更に備える、
シールドコネクタ（１）。
（５）
導体芯線（７１）と前記導体芯線（７１）を取り囲むシールド体（７５）とを有するシールドケーブル（７０）と、
前記シールドケーブル（７０）の端末に取り付けられた上記（１）〜上記（４）の何れか一つに記載のシールドコネクタ（１）と、を備えた、
端子付きシールドケーブル（２）。
【符号の説明】
【００４５】
１      シールドコネクタ
２      端子付きシールドケーブル
１０    インナ端子
２０    インナハウジング
２２    リブ（突起部）
２３    リブ（突起部）
２４    リブ（突起部）
３０    アウタ端子
４０    下側部（アウタ端子）
５０    上側部（アウタ端子）
６０    アウタハウジング
７０    シールドケーブル
７１    導体芯線
７５    シールド体
【図１】
2019220324.tif 000003
【図２】
2019220324.tif 000004
【図３】
2019220324.tif 000005
【図４】
2019220324.tif 000006
【図５】
2019220324.tif 000007